(57)【要約】【課題】ＴＳ形式で映像等の情報が送信される送信システムにおいて、受信側が映像に対応して適切に、ＴＳ形式を前提とせずに生成された情報に基づいて字幕を表示可能なデータを生成する信号処理モジュール、信号符号化装置、信号処理方法、および信号処理用プログラムを提供する。【解決手段】符号化部１１は、入力された信号を所定の単位ごとに符号化して、一連の符号化データを生成する。属性情報生成部１２は、符号化部１１が生成した符号化データに応じた情報を含む属性情報を生成する。パケット生成部１３は、一連の符号化データの前に、後続する符号化データに応じた情報を含む属性情報を配置して、所定のコンテンツを出力するためのパケットを生成する。【選択図】      図５
2020137091.tif 000002
【特許請求の範囲】
【請求項１】
入力された信号を所定の単位ごとに符号化して、一連の符号化データを生成する符号化手段と、
前記符号化手段が生成した前記符号化データに応じた情報を含む属性情報を生成する属性情報生成手段と、
前記一連の符号化データの前に、後続する前記符号化データに応じた情報を含む属性情報を配置して、所定のコンテンツを出力するためのパケットを生成するパケット生成手段とを備えた
ことを特徴とする信号処理モジュール。
【請求項２】
前記属性情報生成手段は、前記符号化データが後続することを示す情報を含む前記属性情報を生成する
請求項１に記載の信号処理モジュール。
【請求項３】
前記属性情報生成手段は、後続する前記符号化データの長さを示す情報を含む前記属性情報を生成する
請求項１または請求項２に記載の信号処理モジュール。
【請求項４】
前記パケットは、ＴＳパケットである
請求項１から請求項３のうちいずれか１項に記載の信号処理モジュール。
【請求項５】
前記所定のコンテンツは、一時に表示される字幕である
請求項１から請求項４のうちいずれか１項に記載の信号処理モジュール。
【請求項６】
請求項１から請求項４のうちいずれか１項に記載の信号処理モジュールを複数備え、
第１の種類の信号と、前記第１の種類の信号に重畳された信号とをそれぞれ対応する前記信号処理モジュールに入力する分配手段を含む
ことを特徴とする信号符号化装置。
【請求項７】
入力された信号を所定の単位ごとに符号化して、一連の符号化データを生成する符号化ステップと、
前記符号化ステップで生成した前記符号化データに応じた情報を含む属性情報を生成する属性情報生成ステップと、
前記一連の符号化データの前に、後続する前記符号化データに応じた情報を含む属性情報を配置して、所定のコンテンツを出力するためのパケットを生成するパケット生成ステップとを含む
ことを特徴とする信号処理方法。
【請求項８】
コンピュータに、
入力された信号を所定の単位ごとに符号化して、一連の符号化データを生成する符号化処理と、
前記符号化処理で生成した前記符号化データに応じた情報を含む属性情報を生成する属性情報生成処理と、
前記一連の符号化データの前に、後続する前記符号化データに応じた情報を含む属性情報を配置して、所定のコンテンツを出力するためのパケットを生成するパケット生成処理とを実行させる
ための信号処理用プログラム。
【発明の詳細な説明】
【技術分野】
【０００１】
本発明は、放送用の信号を処理する信号処理モジュール、信号符号化装置、信号処理方法、および信号処理用プログラムに関する。
【背景技術】
【０００２】
高度広帯域衛星デジタル放送が開始され、ケーブルテレビジョン放送用回線を介した当該放送の受信の要望が高まっている。
【０００３】
ここで、高度広帯域衛星デジタル放送では、ＭＭＴ（ＭＰＥＧ（Ｍｏｖｉｎｇ  Ｐｉｃｔｕｒｅ  Ｅｘｐｅｒｔｓ  Ｇｒｏｕｐ）  Ｍｅｄｉａ  Ｔｒａｎｓｐｏｒｔ）によって、映像や、音声、字幕、文字スーパー等の情報が送信される（非特許文献１参照）。なお、字幕と文字スーパーとを単に字幕と総称する。ここで、高度広帯域衛星デジタル放送において、字幕の情報は、ＴＴＭＬ（Ｔｉｍｅｄ  Ｔｅｘｔ  Ｍａｒｋｕｐ  Ｌａｎｇｕａｇｅ）形式の文書ファイルに含まれて送信される（非特許文献２参照）。そして、高度広帯域衛星デジタル放送における字幕の情報を含む文書は、ＭＭＴ形式によって送信される映像等に同期して表示および消去されることを前提に、対応する映像用の情報とともにＭＰＵ（Ｍｅｄｉａ  Ｐｒｏｃｅｓｓｉｎｇ  Ｕｎｉｔ）に分割されてＴＴＭＬ形式で作成されている。
【０００４】
特許文献１には、ＴＴＭＬ形式の文書ファイルに含まれて送信された字幕データに基づいて、受信機が字幕の表示および消去を制御する方法について記載されている。
【０００５】
一方、ケーブルテレビジョン放送では、ＭＰＥＧ２−ＴＳ（Ｔｒａｎｓｐｏｒｔ  Ｓｔｒｅａｍ）形式で、映像や、音声、字幕等の情報が送信される。ここで、ケーブルテレビジョン放送においても、字幕の情報は、ＴＴＭＬ形式の文書ファイルに含まれて送信されることが検討されている。
【先行技術文献】
【特許文献】
【０００６】
【特許文献１】特開２０１８−１８６５６６号公報
【非特許文献】
【０００７】
【非特許文献１】“高度広帯域衛星デジタル放送運用規定  技術資料  ＡＲＩＢ  ＴＲ−Ｂ３９  １．９版”、平成３０年１０月、一般社団法人電波産業会
【非特許文献２】“デジタル放送におけるＭＭＴによるメディアトランスポート方式  標準規格  ＡＲＩＢ  ＳＴＤ−Ｂ６０  １．１３版”、平成３０年１０月、一般社団法人電波産業会
【発明の概要】
【発明が解決しようとする課題】
【０００８】
しかし、ＴＳ形式を前提とせずにＭＭＴによって送信される映像等に同期して表示および消去されることを前提に作成された字幕用のＴＴＭＬ形式の文書が、ＭＰＥＧ２−ＴＳ等のＴＳ形式で映像とともに送信され、当該映像と同期して受信側に表示させることは困難である。その理由は、ＴＳ形式では字幕用の各種データが一連のデータ列になって受信側に入力されるため、受信側が、当該データ列において各種データの境界を把握することが困難であるからである。
【０００９】
そこで、本発明は、ＴＳ形式で映像等の情報が送信される送信システムにおいて、受信側が映像に対応して適切に、ＴＳ形式を前提とせずに生成された情報に基づいて字幕を表示可能なデータを生成する信号処理モジュール、信号符号化装置、信号処理方法、および信号処理用プログラムを提供することを目的とする。
【課題を解決するための手段】
【００１０】
本発明による信号処理モジュールは、入力された信号を所定の単位ごとに符号化して、一連の符号化データを生成する符号化手段と、符号化手段が生成した符号化データに応じた情報を含む属性情報を生成する属性情報生成手段と、一連の符号化データの前に、後続する符号化データに応じた情報を含む属性情報を配置して、所定のコンテンツを出力するためのパケットを生成するパケット生成手段とを備えたことを特徴とする。
【００１１】
本発明による信号符号化装置は、いずれかの態様の信号処理モジュールを複数備え、第１の種類の信号と、第１の種類の信号に重畳された信号とをそれぞれ対応する信号処理モジュールに入力する分配手段を含むことを特徴とする。
【００１２】
本発明による信号処理方法は、入力された信号を所定の単位ごとに符号化して、一連の符号化データを生成する符号化ステップと、符号化ステップで生成した符号化データに応じた情報を含む属性情報を生成する属性情報生成ステップと、一連の符号化データの前に、後続する符号化データに応じた情報を含む属性情報を配置して、所定のコンテンツを出力するためのパケットを生成するパケット生成ステップとを含むことを特徴とする。
【００１３】
本発明による信号処理用プログラムは、コンピュータに、入力された信号を所定の単位ごとに符号化して、一連の符号化データを生成する符号化処理と、符号化処理で生成した符号化データに応じた情報を含む属性情報を生成する属性情報生成処理と、一連の符号化データの前に、後続する符号化データに応じた情報を含む属性情報を配置して、所定のコンテンツを出力するためのパケットを生成するパケット生成処理とを実行させることを特徴とする。
【発明の効果】
【００１４】
本発明によれば、ＴＳ形式で映像等の情報が送信される送信システムにおいて、受信側が映像に対応して適切に、ＴＳ形式を前提とせずに生成された情報に基づいて字幕を表示可能にすることができる。
【図面の簡単な説明】
【００１５】
【図１】本発明の第１の実施形態の送信機の接続例を示すブロック図である。
【図２】送信機の構成例を示すブロック図である。
【図３】字幕についてのＴＳパケットの構成例を示す説明図である。
【図４】本発明の第１の実施形態の送信機の動作を示すフローチャートである。
【図５】本発明の第２の実施形態の信号処理モジュールの構成例を示すブロック図である。
【発明を実施するための形態】
【００１６】
実施形態１．
本発明の第１の実施形態の送信機１００について、図面を参照して説明する。図１は、本発明の第１の実施形態の送信機１００の接続例を示すブロック図である。
【００１７】
図１に示すように、第１の実施形態の送信機１００は、番組提供装置２００およびケーブルテレビジョン放送局装置３００に接続されている。なお、信号符号化装置は、例えば、送信機１００に相当する。
【００１８】
ケーブルテレビジョン放送局装置３００は、例えば、ケーブルテレビジョン放送局の局舎に設置されている。また、番組提供装置２００は、例えば、テレビジョン放送局等の番組制作会社の局舎に設置されている。そして、番組提供装置２００は、テレビジョン受像機が番組を再生可能な情報を含む番組情報を提供する。なお、番組情報は、例えば、映像の情報、音声の情報、および字幕の情報を含む。具体的には、番組情報は、例えば、映像の信号であるＳＤＩ（Ｓｅｒｉａｌ  Ｄｉｇｉｔａｌ  Ｉｎｔｅｒｆａｃｅ）信号に、音声の情報に応じた信号（音声の信号）および字幕の情報に応じた信号（字幕の信号）が重畳（エンベデッド）された情報である。そして、映像の信号に基づく映像と音声の信号に基づく音声と字幕の信号に応じた字幕とが互いに同期したタイミングでテレビジョン受像機から出力されるように、それら信号が重畳されている。
【００１９】
なお、第１の種類の信号は、例えば、映像の信号に相当する。また、第１の種類の信号に重畳された信号は、例えば、音声の信号や、字幕の信号に相当する。
【００２０】
本例では、番組提供装置２００と送信機１００とは、例えば、通信回線によって互いに接続され、番組情報は、当該通信装置を介して提供される。なお、番組情報は、番組提供装置によって可搬型の記憶媒体に記憶されてもよい。そして、当該記憶媒体が送信機１００の管理者宛に運搬され、当該管理者の操作に従って、送信機１００が当該記憶媒体に記憶されている番組情報を読み出すように構成されていてもよい。
【００２１】
図２は、送信機１００の構成例を示すブロック図である。図２に示すように、送信機１００は、デマルチプレクサ１１０、映像符号化部１２０、音声符号化部１３０、字幕符号化部１４０、およびマルチプレクサ１５０を含む。信号処理モジュールは、例えば、映像符号化部１２０、音声符号化部１３０、または字幕符号化部１４０に相当する。分配手段は、例えば、マルチプレクサ１５０に相当する。
【００２２】
デマルチプレクサ１１０、映像符号化部１２０、音声符号化部１３０、字幕符号化部１４０、およびマルチプレクサ１５０は、例えば、それぞれ、プログラム制御に従って処理を実行するプロセッサや複数の回路によって実現される。
【００２３】
デマルチプレクサ１１０には、番組提供装置２００が送信した番組情報が入力される。そして、デマルチプレクサ１１０は、入力された番組情報に含まれている映像の信号を映像符号化部１２０に入力する。また、デマルチプレクサ１１０は、入力された番組情報に含まれている音声の信号を音声符号化部１３０に入力する。デマルチプレクサ１１０は、入力された番組情報に含まれている字幕の信号を字幕符号化部１４０に入力する。
【００２４】
映像符号化部１２０は、入力された映像の信号に所定の符号化処理を施す。具体的には、映像符号化部１２０は、入力された映像の信号をＴＳ形式のデータにエンコードして、ＴＳパケットを生成する。
【００２５】
また、音声符号化部１３０は、入力された音声の信号に所定の符号化処理を施す。具体的には、音声符号化部１３０は、入力された音声の信号をＴＳ形式のデータにエンコードして、ＴＳパケットを生成する。
【００２６】
字幕符号化部１４０は、入力された字幕の信号に所定の符号化処理を施す。具体的には、字幕符号化部１４０は、入力された字幕の信号をＴＳ形式のデータにエンコードして、ＴＳパケットを生成する。符号化手段は、字幕符号化部１４０を実現するプロセッサにおいて、符号化処理を実行するための部分によって実現される。また、属性情報生成手段は、例えば、字幕符号化部１４０を実現するプロセッサにおいて、後述するＰｒｅｆｉｘ情報およびＬｅｎｇｔｈ情報の生成処理を実行するための部分によって実現される。パケット生成手段は、例えば、字幕符号化部１４０を実現するプロセッサにおいて、ＴＳパケットの生成処理を実行するための部分によって実現される。
【００２７】
なお、字幕の信号は、デジタル字幕に応じた信号がＴＴＭＬ形式の信号に変換されて字幕符号化部１４０に入力されるように構成されていてもよい。
【００２８】
図３は、字幕についてのＴＳパケットの構成例を示す説明図である。図３の最下段に示すように、字幕についてのＴＳパケットは、ＴＳ形式のデータによって構成されている。そして、各ＴＳパケットは、ＴＳヘッダとＴＳペイロードとによって構成されている。また、ＴＳペイロードには、ＰＥＳ（Ｐａｃｋｅｔｉｚｉｄ  Ｅｌｅｍｅｎｔａｒｙ  Ｓｔｒｅａｍ）パケットが格納されている。ＰＥＳパケットは、ＴＳペイロードに格納されて、ＴＳパケットとして送信される。
【００２９】
字幕についてのＰＥＳパケットについて説明する。字幕についてのＰＥＳパケットは、ＰＥＳヘッダと、データ等が格納されるＰＥＳペイロードとを含む。本例では、データは、例えば、字幕の信号が符号化されたデータである。ＰＥＳヘッダには、ＰＴＳ（Ｐｒｅｓｅｎｔａｔｉｏｎ  Ｔｉｍｅ  Ｓｔａｍｐ）や、ＰＥＳ  Ｌｅｎｇｔｈ等のパラメータが設定されている。ＰＴＳによって、ＰＥＳペイロードに格納されている、符号化されているデータに基づく字幕等が復号後に提示されるタイミングが示されている。換言すれば、ＰＥＳペイロードに格納されている符号化されているデータに基づく字幕等は、復号後に、ＰＴＳによって示されているタイミングで提示される。
【００３０】
また、ＰＥＳ  Ｌｅｎｇｔｈによって、ＰＥＳペイロードの長さが示されている。
【００３１】
ＰＥＳペイロードには、ＭＦＵ（Ｍｅｄｉａ  Ｆｒａｇｍｅｎｔ  Ｕｎｉｔ）と連結データとが含まれる。ＭＦＵは、例えば、字幕の信号が符号化されたデータが、所定の単位ごとに分割されて符号化され、一連のＭＦＵに構成される。連結データは、例えば、対応するＭＦＵに関する情報を示すデータである。連結データについては後述する。
【００３２】
そして、一連のＭＦＵの各ＭＦＵ間には、後続するＭＦＵに関する情報を示す連結データが配置されて、ＰＥＳペイロードに格納される。
【００３３】
本例では、少なくとも字幕符号化部１４０は、入力された字幕の信号を所定の単位ごとに分割して符号化し、一連のＭＦＵをそれぞれ生成する。また、字幕符号化部１４０は、生成したＭＦＵに対応する連結データを生成する。そして、字幕符号化部１４０は、一連のＭＦＵの前に、後続するＭＦＵに関する情報を示す連結データを配置してＰＥＳペイロードに格納し、ＰＥＳパケットを生成する。
【００３４】
連結データについて説明する。本例では、ＰＥＳペイロードには、符号化されたデータに加えて、連結データが含まれる。連結データは、所定の単位ごとに分割された、符号化されたデータを順次連結するデータである。連結データには、ＭＦＵが後続することを示す所定のデータパターンであるＰｒｅｆｉｘ情報と、当該ＭＦＵの長さ（例えば、Ｂｙｔｅ数）を示すＬｅｎｇｔｈ情報とが含まれている。なお、連結データは、属性情報に相当する。
【００３５】
ここで、本例では、番組情報に含まれている各信号は、あらかじめ決められた単位で符号化される。例えば、字幕の信号は、一のＰＥＳパケット（図３に示す例ではＰＥＳ＃１）に含まれる符号化されたデータによって、一時に表示する文字列（例えば、「あいうえお」）が表示されるように符号化される。換言すれば、一時に表示される文字列に応じた、符号化されたデータは、一のＰＥＳパケットに含まれている。符号化の処理は、所定の単位ごとに行われ、ＭＦＵを構成する。そして、一のＰＥＳパケットは１つ以上のＭＦＵを含む。
【００３６】
したがって、字幕符号化部１４０は、一時に表示する文字列に応じた字幕の信号をあらかじめ決められた単位で符号化したＭＦＵを生成して、一のＰＥＳパケットを構成する。つまり、一のＰＥＳパケットを構成するＭＦＵは、字幕として一時に表示する文字列に応じたＭＦＵである。
【００３７】
そして、字幕として一時に表示する文字列に応じたＭＦＵには、必要に応じて、ＴＴＭＬ形式の文書によるＭＦＵと、ＳＶＧ（Ｓｃａｌａｂｌｅ  Ｖｅｃｔｏｒ  Ｇｒａｐｈｉｃｓ）形式の外字に応じた情報のＭＦＵとが用いられる。なお、本例において表示される文字列の情報は、ＴＴＭＬ形式の文書と、ＳＶＧ形式の外字とのうち少なくとも一方によって示されている。また、ＴＴＭＬ形式の文書には、例えば、文字列の表示を開始してから当該文字列の表示を終了するまでの時間を指定する要素が含まれていてもよい。具体的には、文字列の表示を開始してから当該文字列の表示を終了するまでの時間を指定する要素とは、例えば、ＴＴＭＬ形式におけるｄｕｒａｔｉｏｎ（＠ｄｕｒ）要素によって、１０秒や２０秒に相当した数字が用いられて指定される。
【００３８】
図３に示す例では、ＰＥＳ＃１〜３に基づく文字列は、それぞれ次にＰＥＳ＃２〜４に基づく文字列が表示されるので、ＰＥＳ＃１〜３にはそのような要素は必ずしも必要ない。しかし、ＰＥＳ＃４に基づく文字列の後には表示すべき文字列がない。
【００３９】
ここで、ＰＥＳ＃４に基づく文字列は適切なタイミングで消去されるべきであるので、文字列を消去することを指示するための情報を含むパケットを受信側に送信することが考えられる。しかし、何らかの理由で当該パケットが受信側で適切に受信されなかった場合に、ＰＥＳ＃４に基づく文字列が消去されずに継続して表示され続けてしまう。そこで、ＰＥＳ＃４には、ＴＴＭＬ形式におけるｄｕｒａｔｉｏｎ（＠ｄｕｒ）要素によって、表示継続時間が指定される。そのような構成によれば、ＰＥＳ＃４に基づく文字列の表示を、表示開始から表示継続時間が経過したときに確実に終了させることができる。
【００４０】
字幕符号化部１４０は、各ＭＦＵ間に、連結データを配置する。各ＭＦＵ間に連結データが配置されることによって、受信側は、各ＭＦＵの境界を確実に認識することができる。また、連結データに、Ｐｒｅｆｉｘ情報とＬｅｎｇｔｈ情報とが含まれているので、受信側は、各ＭＦＵの境界をより確実に認識することができる。本例では、字幕符号化部１４０は、一以上のＭＦＵを含み、各ＭＦＵ間に連結データを配置したＰＥＳパケットを生成する。
【００４１】
そして、字幕符号化部１４０は、生成したＰＥＳパケットを所定の長さに分割し、分割された各ＰＥＳパケットをＴＳペイロードに格納したＴＳパケットを生成する。なお、ＴＳペイロードは、例えば、１８４Ｂｙｔｅである。また、当該ＴＳパケットのＴＳヘッダは、例えば、４Ｂｙｔｅである。
【００４２】
また、映像符号化部１２０は、入力された映像信号を所定の単位ごとに符号化して映像についてのＥＳ（Ｅｌｅｍｅｎｔａｒｙ  Ｓｔｒｅａｍ）を生成する。そして、映像符号化部１２０は、生成したＥＳを適宜分割して、分割されたＥＳを含むＰＥＳパケットを生成する。そして、映像符号化部１２０は、生成したＰＥＳパケットを所定の長さに分割し、分割された各ＰＥＳパケットをＴＳペイロードに格納したＴＳパケットを生成する。なお、ＴＳペイロードは、例えば、１８４Ｂｙｔｅである。また、当該ＴＳパケットのＴＳヘッダは、例えば、４Ｂｙｔｅである。
【００４３】
音声符号化部１３０は、入力された音声信号を所定の単位ごとに符号化して音声についてのＥＳを生成する。そして、音声符号化部１３０は、生成したＥＳを適宜分割して、分割されたＥＳを含むＰＥＳパケットを生成する。そして、音声符号化部１３０は、生成したＰＥＳパケットを所定の長さに分割し、分割された各ＰＥＳパケットをＴＳペイロードに格納したＴＳパケットを生成する。なお、ＴＳペイロードは、例えば、１８４Ｂｙｔｅである。また、当該ＴＳパケットのＴＳヘッダは、例えば、４Ｂｙｔｅである。
【００４４】
なお、ＰＥＳパケットに含まれている連結データは、ＴＳパケットにも含まれることになる。したがって、ＴＳパケットを受信した受信側は、複数のＴＳペイロードを連結した場合であっても、連結データに基づいてＭＦＵの境界を識別することができる。
【００４５】
映像符号化部１２０、音声符号化部１３０、および字幕符号化部１４０は、それぞれ生成したＴＳパケットをマルチプレクサ１５０に入力する。
【００４６】
マルチプレクサ１５０は、映像符号化部１２０、音声符号化部１３０、および字幕符号化部１４０によってそれぞれ入力されたＴＳパケットを互いに多重する。そして、マルチプレクサ１５０は、多重したＴＳパケットを送信する。
【００４７】
送信されたＴＳパケットは、ケーブルテレビジョン放送局装置３００によって受信される。
【００４８】
そして、ケーブルテレビジョン放送局装置３００とケーブルテレビジョンサービス加入者側装置とが同軸ケーブルを含む通信回線によって互いに接続されている場合に、ケーブルテレビジョン放送局装置３００によってＴＳパケットがトランスモジュレーションされたＴＳ形式のデータがケーブルテレビジョンサービス加入者側にあるＳＴＢ（Ｓｅｔ  Ｔｏｐ  Ｂｏｘ）に入力される。ＳＴＢは、テレビジョン受像機が、映像、音声、および字幕を出力可能な形式の信号に、入力されたＴＳ形式のデータを変換して当該テレビジョン受像機に入力する。すると、テレビジョン受像機は、映像と音声と字幕とを互いに同期したタイミングで出力する。
【００４９】
また、ケーブルテレビジョン放送局装置３００とケーブルテレビジョンサービス加入者側装置とが、同軸ケーブルを含まず光通信ケーブルによる通信回線によって互いに接続されている場合に、ケーブルテレビジョン放送局装置３００によってＴＳパケットに基づくＴＳ形式のデータで変調された光信号がケーブルテレビジョンサービス加入者側にあるＯＮＵ（Ｏｐｔｉｃａｌ  Ｎｅｔｗｏｒｋ  Ｕｎｉｔ）に入力される。ＯＮＵは、テレビジョン受像機が、映像、音声、および字幕を出力可能な形式の信号に、入力された光信号を変換して当該テレビジョン受像機に入力する。すると、テレビジョン受像機は、映像と音声と字幕とを互いに同期したタイミングで出力する。
【００５０】
次に、送信機１００の動作について、図面を参照して説明する。図４は、本発明の第１の実施形態の送信機１００の動作を示すフローチャートである。
【００５１】
図４に示すように、デマルチプレクサ１１０は、入力された番組情報に含まれている、映像の信号を映像符号化部１２０に入力し、音声の信号を音声符号化部１３０に入力し、字幕の信号を字幕符号化部１４０に入力する（ステップＳ１０１）。
【００５２】
そして、映像符号化部１２０は、入力された映像の信号に所定の符号化処理を施したＥＳを生成し、生成したＥＳが適宜分割されて格納されたＰＥＳパケットに基づくＴＳパケットを生成する（ステップＳ１０２）。また、音声符号化部１３０は、入力された音声の信号に所定の符号化処理を施したＥＳを生成し、生成したＥＳが適宜分割されて格納されたＰＥＳパケットに基づくＴＳパケットを生成する（ステップＳ１０３）。字幕符号化部１４０は、入力された字幕の信号に所定の符号化処理を施し、ＭＦＵが連結データを介して連結されたＰＥＳパケットに基づくＴＳパケットを生成する（ステップＳ１０４）。
【００５３】
マルチプレクサ１５０は、映像符号化部１２０、音声符号化部１３０、および字幕符号化部１４０によって、ステップＳ１０２〜Ｓ１０４の処理でそれぞれ生成されたＴＳパケットを互いに多重して、ＴＳパケットを生成する（ステップＳ１０５）。そして、マルチプレクサ１５０は、生成したＴＳパケットを送信する（ステップＳ１０６）。
【００５４】
本実施形態によれば、字幕符号化部１４０が、入力された字幕の信号を所定の単位ごとに分割して符号化し、一連のＭＦＵをそれぞれ生成する。また、字幕符号化部１４０は、生成したＭＦＵに対応する連結データを生成する。そして、字幕符号化部１４０は、一連のＭＦＵの前に、後続するＭＦＵに関する情報を示す連結データを配置して、ＰＥＳペイロードに格納し、ＰＥＳパケットを生成する。字幕符号化部１４０は、当該ＰＥＳパケットに基づく、連結データを含むＴＳパケットを生成して送信する。
【００５５】
そのような構成によれば、受信側は、連結データを検出することによって、各ＭＦＵの境界を確実に認識することができる。
【００５６】
また、連結データに、ＭＦＵが後続することを示すＰｒｅｆｉｘ情報と当該ＭＦＵの長さを示すＬｅｎｇｔｈ情報とが含まれているように構成されている場合には、受信側は、各ＭＦＵの境界をより確実に認識することができる。
【００５７】
実施形態２．
次に、本発明の第２の実施形態について、図面を参照して説明する。図５は、本発明の第２の実施形態の信号処理モジュール１０の構成例を示すブロック図である。図５に示すように、本発明の第２の実施形態の信号処理モジュール１０は、符号化部（符号化手段）１１、属性情報生成部（属性情報生成手段）１２、およびパケット生成部（パケット生成手段）１３を含む
信号処理モジュール１０は、例えば、図１および図２に示す第１の実施形態における送信機１００に相当する。符号化部１１、属性情報生成部１２、およびパケット生成部１３は、例えば、図２に示す第１の実施形態における字幕符号化部１４０に相当する。
【００５８】
符号化部１１は、入力された信号（例えば、字幕の信号）を所定の単位（例えば、字幕として一時に表示する文字列に応じたＭＦＵ）ごとに符号化して、一連の符号化データを生成する。
【００５９】
属性情報生成部１２は、符号化部１１が生成した符号化データに応じた情報（例えば、Ｐｒｅｆｉｘ情報およびＬｅｎｇｔｈ情報）を含む属性情報（例えば、連結データ）を生成する。
【００６０】
パケット生成部１３は、一連の符号化データの前に、後続する符号化データに応じた情報を含む属性情報を配置して、所定のコンテンツを出力するためのパケット（例えば、ＴＳパケット）を生成する。
【００６１】
本実施形態によれば、一連の符号化データの前に、後続する符号化データに応じた情報を含む属性情報を配置されるので、受信側は、各符号化データの境界を確実に認識することができる。
【符号の説明】
【００６２】
１０    信号処理モジュール
１１    符号化部
１２    属性情報生成部
１３    パケット生成部
１００    送信機
１１０    デマルチプレクサ
１２０    映像符号化部
１３０    音声符号化部
１４０    字幕符号化部
１５０    マルチプレクサ
２００    番組提供装置
３００    ケーブルテレビジョン放送局装置
【図１】
2020137091.tif 000003
【図２】
2020137091.tif 000004
【図３】
2020137091.tif 000005
【図４】
2020137091.tif 000006
【図５】
2020137091.tif 000007